(57)【要約】      （修正有）【課題】低コストでコントラスト比、視角特性、色の視角特性などの表示品位が優れた液晶表示装置を提供する。【解決手段】配向処理された配向膜２４を表面に有し、所定間隔で互いに対向配置された一対の透明電極２２、２８と、液晶層２６と、一対の上ガラス基板２０および下ガラス基板３０と、一対の位相差板１８、と、一対の偏光板１６とを有し、液晶層の厚さｄとカイラルピッチｐとの比ｄ／ｐが０．４〜０．８、液晶層の複屈折率Δｎが０．１３〜０．０８、液晶層の厚さｄが３．０μｍ〜６．０μｍ、螺旋状に配向される液晶分子のツイスト角が９０〜２７０°、下側ガラス基板のラビング角θrが４５°〜１３５°、下側偏光板の吸収軸角θＬｐｏｌが、ラビング角θrに対し、４２°〜４８°、下側の透明電極と液晶層との界面に存在する液晶分子のプレチルト角θｐが、ガラス基板面に対して８０°〜８９°である液晶表示装置。【選択図】図１
2008275736.tif 000002
【特許請求の範囲】
【請求項１】
配向処理された配向膜を表面に有し、所定間隔で互いに対向配置された一対の透明電極と、
前記一対の透明電極間に配置される液晶層と、
前記液晶層の外側の前記一対の透明電極上に配置された一対のガラス基板と、
前記液晶層の外側の前記一対のガラス基板上に配置された一対の位相差板と、
前記液晶層の外側の前記一対の位相差板上に配置され、クロスニコル配置の一対の偏光板と
を備え、前記配向処理が前記一対の透明電極間に接する液晶に配向方向を付与し、
前記液晶層の厚さｄと前記液晶層のカイラルピッチｐとの比ｄ／ｐが０．４〜０．８であり、
前記液晶層の複屈折率Δｎが０．１３〜０．０８であり、
前記液晶層の厚さｄが３．０μｍ〜６．０μｍであり、
前記一対の透明電極間に配置される前記液晶層の螺旋状に配向される液晶分子の並び方において、下側の透明電極界面の液晶分子の向きから上側の透明電極界面の液晶分子の向きとの間のツイスト角が９０〜２７０°であり、
前記一対のガラス基板の内、下ガラス基板のラビング角θrが４５°〜１３５°であり、
前記一対の偏光板の内、下偏光板の吸収軸角θＬｐｏｌが、前記下ガラス基板のラビング角θrに対し、４２°〜４８°であり、
前記一対の透明電極の内、下側の透明電極と前記液晶層との界面に存在する液晶分子のプレチルト角θｐが、前記下ガラス基板表面に対して８０°〜８９°であることを特徴とする液晶表示装置。
【請求項２】
請求項１に記載の液晶表示装置において、
前記液晶層の厚さｄと前記液晶層のカイラルピッチｐとの比ｄ／ｐが０．５〜０．７であることを特徴とする液晶表示装置。
【請求項３】
請求項１または２に記載の液晶表示装置において、
前記液晶層の複屈折率Δｎが０．１１〜０．０８であることを特徴とする液晶表示装置。
【請求項４】
請求項１乃至３のいずれかに記載の液晶表示装置において、
前記液晶層の厚さｄが４．０〜５．０μｍであることを特徴とする液晶表示装置。
【請求項５】
請求項１乃至４のいずれかに記載の液晶表示装置において、
前記ツイスト角が１６０〜２００°であることを特徴とする液晶表示装置。
【請求項６】
請求項１乃至５のいずれかに記載の液晶表示装置において、
前記下ガラス基板のラビング角θrが８０°〜１００°であることを特徴とする液晶表示装置。
【請求項７】
請求項１乃至６のいずれかに記載の液晶表示装置において、
前記下偏光板の吸収軸角θＬｐｏｌが、前記下ガラス基板のラビング角θrに対し、４４°〜４６°であることを特徴とする液晶表示装置。
【請求項８】
請求項１乃至７のいずれかに記載の液晶表示装置において、
前記プレチルト角θｐが、前記下ガラス基板表面に対して８６°〜８９°であることを特徴とする液晶表示装置。  
【発明の詳細な説明】
【技術分野】
【０００１】
本発明は、液晶表示装置に関し、特に、垂直配向型液晶表示素子において、低コストでコントラスト比、及びその視角特性ならびに、色の視角特性などの表示品位が優れた液晶表示装置に関する。
【背景技術】
【０００２】
垂直配向型液晶表示素子は高コントラスト、広視角特性を持つ表示素子として、大型ＴＶ、携帯電話などさまざまな分野で利用されている。但し、すべてＴＦＴなどをガラス基板上に形成した、アクティブ駆動方式と呼ばれる方式を用いている。
【０００３】
また、マルチドメインと呼ばれる基板上に特殊な構造あるいは加工を施すことで、多数のドメインを形成し、広視角特性を持たせている。
【０００４】
ここで、より低コストで製造するためには、ＴＦＴなどの素子を持たないパッシブ駆動方式を採用し、従来のＳＴＮ（Ｓｕｐｅｒ Ｔｗｉｓｔ Ｎｅｍａｔｉｃ）と同様のモノドメイン構造にする方法がある。
【０００５】
従来技術においては、パッシブ駆動方式に必要な“急峻性”を改善することを中心に考えられているが、背反として、コントラストの視角特性、ならびに色の視角特性を犠牲にしている結果となっている。
【０００６】
例えば、電気光学特性の急峻性とコントラストならびに透過率などの表示品質を向上させることを課題とする垂直配向型ＥＣＢモード液晶表示素子が開示されている（例えば、特許文献１参照。）。
【０００７】
特許文献１の垂直配向型ＥＣＢモード液晶表示素子は、電極と配向処理された垂直配向膜とを表面に形成し、所定間隔で互いに対向配置された一対の基板と、前記一対の基板間に配置される液晶層とを有する液晶セルと、前記液晶セル外側に配置されたクロスニコル配置の一対の偏向子と、を有し、前記配向処理が基板に接する液晶に配向方向を付与し、前記一対の基板上の配向方向間の角度を２等分する方向が、前記一対の偏向子の偏向方向のいずれか、またはクロスニコル配置の偏向方向間の角度を２等分する方向に沿い、前記基板と前記液晶層との界面に存在する液晶分子のプレチルト角が、前記基板面に対して８５°〜６０°の範囲に設定されている。
【特許文献１】特開２００４−３５５０３２号公報
【発明の開示】
【発明が解決しようとする課題】
【０００８】
本発明の目的は、低コストでコントラスト比、及びその視角特性ならびに、色の視角特性などの表示品位が優れた垂直配向型の液晶表示装置を提供することにある。
【課題を解決するための手段】
【０００９】
上記目的を達成するための本発明の請求項１に記載の表示装置は、配向処理された配向膜を表面に有し、所定間隔で互いに対向配置された一対の透明電極と、前記一対の透明電極間に配置される液晶層と、前記液晶層の外側の前記一対の透明電極上に配置された一対のガラス基板と、前記液晶層の外側の前記一対のガラス基板上に配置された一対の位相差板と、前記液晶層の外側の前記一対の位相差板上に配置され、クロスニコル配置の一対の偏光板とを備え、前記配向処理が前記一対の透明電極間に接する液晶に配向方向を付与し、前記液晶層の厚さｄと前記液晶層のカイラルピッチｐとの比ｄ／ｐが０．４〜０．８であり、前記液晶層の複屈折率Δｎが０．１３〜０．０８であり、前記液晶層の厚さｄが３．０μｍ〜６．０μｍであり、前記一対の透明電極間に配置される前記液晶層の螺旋状に配向される液晶分子の並び方において、下側の透明電極界面の液晶分子の向きから上側の透明電極界面の液晶分子の向きとの間のツイスト角が９０〜２７０°であり、前記一対のガラス基板の内、下ガラス基板のラビング角θrが４５°〜１３５°であり、  前記一対の偏光板の内、下偏光板の吸収軸角θＬｐｏｌが、前記下ガラス基板のラビング角θrに対し、４２°〜４８°であり、前記一対の透明電極の内、下側の透明電極と前記液晶層との界面に存在する液晶分子のプレチルト角θｐが、前記下ガラス基板表面に対して８０°〜８９°であることを特徴とする。
【００１０】
本発明の請求項２に記載の表示装置は、請求項１に記載の液晶表示装置において、前記液晶層の厚さｄと前記液晶層のカイラルピッチｐとの比ｄ／ｐが０．５〜０．７であることを特徴とする。
【００１１】
本発明の請求項３に記載の表示装置は、請求項１または２に記載の液晶表示装置において、前記液晶層の複屈折率Δｎが０．１１〜０．０８であることを特徴とする。
【００１２】
本発明の請求項４に記載の表示装置は、請求項１乃至３のいずれかに記載の液晶表示装置において、前記液晶層の厚さｄが４．０〜５．０μｍであることを特徴とする。
【００１３】
本発明の請求項５に記載の表示装置は、請求項１乃至４のいずれかに記載の液晶表示装置において、前記ツイスト角が１６０〜２００°であることを特徴とする。
【００１４】
本発明の請求項６に記載の表示装置は、請求項１乃至５のいずれかに記載の液晶表示装置において、前記下ガラス基板のラビング角θrが８０°〜１００°であることを特徴とする。
【００１５】
本発明の請求項７に記載の表示装置は、請求項１乃至６のいずれかに記載の液晶表示装置において、前記下偏光板の吸収軸角θＬｐｏｌが、前記下ガラス基板のラビング角θrに対し、４４°〜４６°であることを特徴とする。
【００１６】
本発明の請求項８に記載の表示装置は、請求項１乃至７のいずれかに記載の液晶表示装置において、前記プレチルト角θｐが、前記下ガラス基板表面に対して８６°〜８９°であることを特徴とする。
【発明の効果】
【００１７】
本発明の垂直配向型の液晶表示装置によれば、低コストでコントラスト比、及びその視角特性ならびに、色の視角特性などの表示品位が優れた液晶表示を得ることができる。
【発明を実施するための最良の形態】
【００１８】
次に、図面を参照して、本発明の実施の形態を説明する。以下の図面の記載において、同一または類似の部分には同一または類似の符号を付している。ただし、図面は模式的なものであり、現実のものとは異なることに留意すべきである。また、図面相互間においても互いの寸法の関係や比率が異なる部分が含まれていることはもちろんである。
【００１９】
また、以下に示す実施の形態は、この発明の技術的思想を具体化するための装置を例示するものであって、この発明の技術的思想は、各構成部品の配置などを下記のものに特定するものでない。この発明の技術的思想は、特許請求の範囲において、種々の変更を加えることができる。
【００２０】
[第１の実施の形態] 
本発明の第１の実施の形態に係る液晶表示装置の模式的構成は、図１に示すように、所定間隔で互いに対向配置された一対の透明電極上にそれぞれ配置された上ガラス基板２０および下ガラス基板３０と、上ガラス基板２０および下ガラス基板３０上にそれぞれ配置された上位相差板１８−１および下位相差板１８−２と、上位相差板１８−１および下位相差板１８−２上にそれぞれ配置され、クロスニコル配置の偏光板１６−１および１６−２とを備える。
【００２１】
図１において、ｄは、液晶層の厚さを示し、角度θrは、下ガラス基板３０のラビング角を示す。また、図１において、角度θＬｐｏｌは、下偏光板１６−２の吸収軸角を示し、角度θｐは、下側の透明電極と液晶層との界面に存在する液晶分子のプレチルト角を示す。
【００２２】
本発明の第１の実施の形態に係る液晶表示装置の模式的断面構造は、図６に示すように、配向処理された配向膜２４を表面に有し、所定間隔で互いに対向配置された一対の透明電極２２、２８と、一対の透明電極２２、２８間に配置される液晶層２６と、液晶層２６の外側の一対の透明電極２２、２８上に配置された一対の上ガラス基板２０および下ガラス基板３０と、液晶層２６の外側の一対の上ガラス基板２０および下ガラス基板３０上にそれぞれ配置された上位相差板１８−１および下位相差板１８−２と、液晶層２６の外側の上位相差板１８−１および下位相差板１８−２上にそれぞれ配置され、クロスニコル配置の一対の偏光板１６−１および１６−２とを備える。
【００２３】
配向処理によって、一対の透明電極２２、２８間に接する液晶層２６内の液晶に配向方向が付与される。
【００２４】
本発明の第１の実施の形態に係る液晶表示装置において、液晶層２６の厚さｄと液晶層２６のカイラルピッチｐとの比ｄ／ｐは、０．４〜０．８であり、液晶層２６の複屈折率Δｎは、０．１３〜０．０８であり、液晶層２６の厚さｄは、３．０μｍ〜６．０μｍであることを特徴とする。
【００２５】
また、一対の透明電極２２、２８間に配置される液晶層２６の螺旋状に配向される液晶分子の並び方において、下側の透明電極２８界面の液晶分子の向きから上側の透明電極２２界面の液晶分子の向きとの間のツイスト角は、９０〜２７０°であり、下ガラス基板３０のラビング角θrは、４５°〜１３５°であり、下偏光板１６−２の吸収軸角θＬｐｏｌは、下ガラス基板３０のラビング角θrに対し、４２°〜４８°であり、一対の透明電極２２、２８の内、下側の透明電極２８と液晶層２６との界面に存在する液晶分子のプレチルト角θｐは、下ガラス基板３０表面に対して８０°〜８９°であることを特徴とする。
【００２６】
また、本発明の第１の実施の形態に係る液晶表示装置においては、液晶層２６の厚さｄと液晶層２６のカイラルピッチｐとの比ｄ／ｐは、更に限定的に、０．５〜０．７であってもよい。
【００２７】
また、本発明の第１の実施の形態に係る液晶表示装置においては、液晶層２６の複屈折率Δｎは、更に限定的に、０．１１〜０．０８であってもよい。
【００２８】
また、本発明の第１の実施の形態に係る液晶表示装置においては、液晶層２６の厚さｄは、更に限定的に、４．０〜５．０μｍであってもよい。
【００２９】
また、本発明の第１の実施の形態に係る液晶表示装置においては、ツイスト角は、更に限定的に、１６０〜２００°であってもよい。
【００３０】
また、本発明の第１の実施の形態に係る液晶表示装置においては、下ガラス基板３０のラビング角θrは、更に限定的に、８０°〜１００°であってもよい。
【００３１】
また、本発明の第１の実施の形態に係る液晶表示装置においては、下偏光板１６−２の吸収軸角θＬｐｏｌが、下ガラス基板３０のラビング角θrに対し、更に限定的に、４４°〜４６°であってもよい。
【００３２】
また、本発明の第１の実施の形態に係る液晶表示装置においては、プレチルト角θｐは、更に限定的に、下ガラス基板３０表面に対して８６°〜８９°であってもよい。
【００３３】
（臨界点における特性への影響）
本発明の第１の実施の形態に係る液晶表示装置において、液晶層２６の厚さｄと液晶層２６のカイラルピッチｐとの比ｄ／ｐは、０．５を代表値とするが、比ｄ／ｐの値が０．４よりも小さい場合には、視野角が狭くなり、また０．８よりも大きい場合には、液晶の配向が乱れることが確認されている。
【００３４】
本発明の第１の実施の形態に係る液晶表示装置において、液晶層２６の複屈折率Δｎは、０．１１を代表値とするが、Δｎの値が０．０８よりも小さい場合には、コントラストが低下し、０．１３よりも大きい場合には、コントラストが低下し、かつ着色が見られることが確認されている。
【００３５】
本発明の第１の実施の形態に係る液晶表示装置において、液晶層２６の厚さｄは、５μｍを代表値とするが、ｄの値が３μｍよりも小さい場合には、コントラストが低下することが確認されている。また、プロセス上の困難性も明らかである。一方、ｄの値が６μｍよりも大きい場合には、応答速度が遅くなり、かつ着色が見られることが確認されている。
【００３６】
本発明の第１の実施の形態に係る液晶表示装置において、ツイスト角は、１８０°を代表値とするが、ツイスト角の値が９０°よりも小さい場合には、視野角が狭くなり、また２７０°よりも大きい場合には、液晶の配向が乱れることが確認されている。
【００３７】
本発明の第１の実施の形態に係る液晶表示装置において、下ガラス基板３０のラビング角θrは、９０°を代表値とするが、４５°よりも小さい場合には、視角方向が変化し、また、１３５°よりも大きい場合においても、視角方向が変化することが確認されている。
【００３８】
本発明の第１の実施の形態に係る液晶表示装置において、下偏光板の吸収軸角θＬｐｏｌは、４５°を代表値とするが、４２°よりも小さい場合には、遮光性が低下し、また、４８°よりも大きい場合にも、遮光性が低下することが確認されている。
【００３９】
本発明の第１の実施の形態に係る液晶表示装置において、プレチルト角θｐは、８９°を代表値とするが、８０°よりも小さい場合には、遮光性が低下し、８９°よりも大きい場合には、電圧印加時の液晶の配向が乱れることが確認されている。
【００４０】
本発明の第１の実施の形態に係る液晶表示装置においては、図６に示すように、上側の透明電極２２が分割されセグメント化されたＩＴＯ膜などの透明電極（ＳＥＧ  ＩＴＯ）として形成され、一方、下側の透明電極２８は、共通のＩＴＯ膜などの透明電極（ＣＯＭ  ＩＴＯ）として形成されている。
【００４１】
また、本発明の第１の実施の形態に係る液晶表示装置においては、図６に示すように、上ガラス基板２０の裏面にもセグメント化された透明電極２２が配置され、さらにセグメント化された透明電極２２に跨って、ドライバＩＣチップ１２がＣＯＧ（Ｃｈｉｐ Ｏｎ Ｇｌａｓｓ）構造で配置され、ドライバＩＣチップ１２が接続された透明電極２２の一方は、ＦＰＣ（Ｆｌｅｘｉｂｌｅ Ｐｒｉｎｔｅｄ Ｃｉｒｃｕｉｔ）１０に接続されている。
【００４２】
また、本発明の第１の実施の形態に係る液晶表示装置においては、図６に示すように、スペーサ１４によって、液晶層２６、配向膜２４、および透明電極２２および２８からなる積層構造が封止されている。
【００４３】
本発明の第１の実施の形態に係る液晶表示装置と比較例に係る液晶表示装置との間の各パラメータ値の比較を図２に示す。
【００４４】
本発明の第１の実施の形態に係る液晶表示装置として、図２に示すように、液晶層２６の厚さｄと液晶層２６のカイラルピッチｐとの比ｄ／ｐの値を０．５、液晶層２６の複屈折率Δｎの値を０．１１、液晶層２６の厚さｄの値を５μｍとし、また、下側の透明電極２８界面の液晶分子の向きから上側の透明電極２２界面の液晶分子の向きとの間のツイスト角の値を１８０°、下ガラス基板３０のラビング角θrの値を９０°、下偏光板１６−２の吸収軸角θＬｐｏｌの値を４５°、下側の透明電極２８と液晶層２６との界面に存在する液晶分子のプレチルト角θｐの値を８９°とした液晶表示装置を作成し、同時に、本発明の第１の実施の形態の比較例に係る液晶表示装置として、図２に示すように、液晶層２６の厚さｄと液晶層２６のカイラルピッチｐとの比ｄ／ｐの値を０．６５、液晶層２６の複屈折率Δｎの値を０．２、液晶層２６の厚さｄの値を３．８μｍとし、また、下側の透明電極２８界面の液晶分子の向きから上側の透明電極２２界面の液晶分子の向きとの間のツイスト角の値を２６０°、下ガラス基板３０のラビング角θrの値を０°、下偏光板１６−２の吸収軸角θＬｐｏｌの値を０°、下側の透明電極２８と液晶層２６との界面に存在する液晶分子のプレチルト角θｐの値を８１°とした場合の液晶表示装置と比較する。
【００４５】
図２に示された条件で作成された本発明の第１の実施の形態に係る液晶表示装置において、図３（ａ）は、コントラスト視角特性例を示し、図３（ｂ）は、暗状態の色視角特性例を示す。また、図２に示された条件で作成された比較例に係る液晶表示装置において、図４（ａ）は、コントラスト視角特性例を示し、図４（ｂ）は、暗状態の色視角特性例を示す。
【００４６】
図３（ａ）と図４（ａ）を比較すると、コントラストの視角特性は、本発明の第１の実施の形態に係る液晶表示装置の方が向上している。例えば、比較例における正面コントラストの値は、約６００であるのに対して、本発明の第１の実施の形態に係る液晶表示装置の正面コントラストの値は、約１０００である。また、比較例における透過率の値は、約８％であるのに対して、本発明の第１の実施の形態に係る液晶表示装置の透過率の値は、約１６％ある。
【００４７】
また、図３（ｂ）と図４（ｂ）を比較すると、暗状態における色（見た目）の視角特性は、図４（ｂ）に示す比較例では、視角を変えたときに光が抜け易く、また黄色などに着色され易い。このため、本発明の第１の実施の形態に係る液晶表示装置の方が暗状態における色（見た目）の視角特性は、向上している。
【００４８】
本発明の第１の実施の形態に係る液晶表示装置の液晶表示パネルの写真を、本発明の第１の実施の形態の比較例に係る液晶表示装置の液晶表示パネルの写真と共に以下に示す。すなわち、図５（ａ）乃至（ｃ）は、本発明の第１の実施の形態に係る液晶表示装置の表示例であって、図５（ａ）は、左側約３０°の角度からの見たときの表示例を示し、図５（ｂ）は、正面からの見たときの表示例を示し、図５（ｃ）は、右側約３０°の角度からの見たときの表示例を示す。また、図５（ｄ）乃至（ｆ）は、本発明の比較例に係る液晶表示装置の表示例であって、図５（ｄ）は、左側約３０°の角度からの見たときの表示例を示し、図５（ｅ）は、正面からの見たときの表示例を示し、図５（ｆ）は、右側約３０°の角度からの見たときの表示例を示す。
【００４９】
図５（ｂ）と図５（ｅ）を比較すると、図５（ｂ）の方がコントラストが高い。また、図５（ｂ）に比較して、左右約３０°の角度からみた表示例では、コントラストは低下しているが、視角を変えたときの光が抜けは比較例に比べ少なく、また着色も見られていない。これに対して、比較例においては、図５（ｅ）に比較して、左右約３０°の角度からみた表示例では、コントラストは低下し、かつ、視角を変えたときの光の抜けも多く、また黄色などの着色も顕著に見られた。
【００５０】
本発明の第１の実施の形態に係る液晶表示装置によれば、垂直配向型で、低コストでコントラスト比、及びその視角特性ならびに、色の視角特性などの表示品位が優れた液晶表示を得ることができる。
【００５１】
[第２の実施の形態] 
本発明の第２の実施の形態に係る液晶表示装置の模式的断面構造は、図７に示すように、配向処理された配向膜２４を表面に有し、所定間隔で互いに対向配置された一対の透明電極２８、２２と、一対の透明電極２８、２２間に配置される液晶層２６と、液晶層２６の外側の透明電極２８、２２上にそれぞれ配置された上ガラス基板２０および下ガラス基板３０と、液晶層２６の外側の上ガラス基板２０および下ガラス基板３０上にそれぞれ配置された上位相差板１８−１および下位相差板１８−２と、液晶層２６の外側の上位相差板１８−１および下位相差板１８−２上にそれぞれ配置され、クロスニコル配置の偏光板１６−１および１６−２とを備える。
【００５２】
配向処理によって、一対の透明電極２２、２８間に接する液晶層２６内の液晶に配向方向が付与される。
【００５３】
本発明の第２の実施の形態に係る液晶表示装置において、液晶層２６の厚さｄと液晶層２６のカイラルピッチｐとの比ｄ／ｐは、０．４〜０．８であり、液晶層２６の複屈折率Δｎは、０．１３〜０．０８であり、液晶層２６の厚さｄは、３．０μｍ〜６．０μｍであることを特徴とする。
【００５４】
また、一対の透明電極２２、２８間に配置される液晶層２６の螺旋状に配向される液晶分子の並び方において、下側の透明電極２２界面の液晶分子の向きから上側の透明電極２８界面の液晶分子の向きとの間のツイスト角は、９０〜２７０°であり、下ガラス基板３０のラビング角θrは、４５°〜１３５°であり、下偏光板１６−２の吸収軸角θＬｐｏｌは、下ガラス基板３０のラビング角θrに対し、４２°〜４８°であり、下側の透明電極２２と液晶層２６との界面に存在する液晶分子のプレチルト角θｐは、下ガラス基板３０面に対して８０°〜８９°であることを特徴とする。
【００５５】
また、本発明の第２の実施の形態に係る液晶表示装置においては、液晶層２６の厚さｄと液晶層２６のカイラルピッチｐとの比ｄ／ｐは、更に限定的に、０．５〜０．７であってもよい。
【００５６】
また、本発明の第２の実施の形態に係る液晶表示装置においては、液晶層２６の複屈折率Δｎは、更に限定的に、０．１１〜０．０８であってもよい。
【００５７】
また、本発明の第２の実施の形態に係る液晶表示装置においては、液晶層２６の厚さｄは、更に限定的に、４．０〜５．０μｍであってもよい。
【００５８】
また、本発明の第２の実施の形態に係る液晶表示装置においては、ツイスト角は、更に限定的に、１６０〜２００°であってもよい。
【００５９】
また、本発明の第２の実施の形態に係る液晶表示装置においては、下ガラス基板３０のラビング角θrは、更に限定的に、８０°〜１００°であってもよい。
【００６０】
また、本発明の第２の実施の形態に係る液晶表示装置においては、下偏光板１６−２の吸収軸角θＬｐｏｌが、下ガラス基板３０のラビング角θrに対し、更に限定的に、４４°〜４６°であってもよい。
【００６１】
また、本発明の第２の実施の形態に係る液晶表示装置においては、プレチルト角θｐは、更に限定的に、下ガラス基板３０表面に対して８６°〜８９°であってもよい。
【００６２】
（臨界点における特性への影響）
本発明の第２の実施の形態に係る液晶表示装置において、液晶層２６の厚さｄと液晶層２６のカイラルピッチｐとの比ｄ／ｐは、０．５を代表値とするが、比ｄ／ｐの値が０．４よりも小さい場合には、視野角が狭くなり、また０．８よりも大きい場合には、液晶の配向が乱れることが確認されている。
【００６３】
本発明の第２の実施の形態に係る液晶表示装置において、液晶層２６の複屈折率Δｎは、０．１１を代表値とするが、Δｎの値が０．０８よりも小さい場合には、コントラストが低下し、０．１３よりも大きい場合には、コントラストが低下し、かつ着色が見られることが確認されている。
【００６４】
本発明の第２の実施の形態に係る液晶表示装置において、液晶層２６の厚さｄは、５μｍを代表値とするが、ｄの値が３μｍよりも小さい場合には、コントラストが低下することが確認されている。また、プロセス上の困難性も明らかである。一方、ｄの値が６μｍよりも大きい場合には、応答速度が遅くなり、かつ着色が見られることが確認されている。
【００６５】
本発明の第２の実施の形態に係る液晶表示装置において、ツイスト角は、１８０°を代表値とするが、ツイスト角の値が９０°よりも小さい場合には、視野角が狭くなり、また２７０°よりも大きい場合には、液晶の配向が乱れることが確認されている。
【００６６】
本発明の第２の実施の形態に係る液晶表示装置において、下ガラス基板３０のラビング角θrは、９０°を代表値とするが、４５°よりも小さい場合には、視角方向が変化し、また、１３５°よりも大きい場合においても、視角方向が変化することが確認されている。
【００６７】
本発明の第２の実施の形態に係る液晶表示装置において、下偏光板の吸収軸角θＬｐｏｌは、４５°を代表値とするが、４２°よりも小さい場合には、遮光性が低下し、また、４８°よりも大きい場合にも、遮光性が低下することが確認されている。
【００６８】
本発明の第２の実施の形態に係る液晶表示装置において、プレチルト角θｐは、８９°を代表値とするが、８０°よりも小さい場合には、遮光性が低下し、８９°よりも大きい場合には、電圧印加時の液晶の配向が乱れることが確認されている。
【００６９】
本発明の第２の実施の形態に係る液晶表示装置においては、図７に示すように、下側の透明電極２２が分割されセグメント化されたＩＴＯ膜などの透明電極（ＳＥＧ  ＩＴＯ）として形成され、一方、上側の透明電極２８は、共通のＩＴＯ膜などの透明電極（ＣＯＭ  ＩＴＯ）として形成されている。
【００７０】
また、本発明の第２の実施の形態に係る液晶表示装置においては、図７に示すように、下ガラス基板３０の上面にもセグメント化された透明電極２２が配置され、さらにセグメント化された透明電極２２に跨って、ドライバＩＣチップ１２がＣＯＧ構造で配置され、ドライバＩＣチップ１２が接続された透明電極２２の一方は、ＦＰＣ１０に接続されている。
【００７１】
また、本発明の第２の実施の形態に係る液晶表示装置においては、図７に示すように、スペーサ１４によって、液晶層２６、配向膜２４、および透明電極２２および２８からなる積層構造が封止されている。
【００７２】
本発明の第２の実施の形態に係る液晶表示装置においても、第１の実施の形態と同様に、コントラストの視角特性は、比較例に比べて向上する。また、第１の実施の形態と同様に、暗状態における色（見た目）の視角特性も、比較例に比べて向上する。
【００７３】
本発明の第２の実施の形態に係る液晶表示装置によれば、垂直配向型で、低コストでコントラスト比、及びその視角特性ならびに、色の視角特性などの表示品位が優れた液晶表示を得ることができる。
【００７４】
[第３の実施の形態]
本発明の第３の実施の形態に係る液晶表示装置の模式的断面構造は、図８に示すように、配向処理された配向膜２４を表面に有し、所定間隔で互いに対向配置された一対の透明電極２８、２２と、一対の透明電極２８、２２間に配置される液晶層２６と、液晶層２６の外側の透明電極２８、２２上にそれぞれ配置された上ガラス基板２０および下ガラス基板３０と、液晶層２６の外側の上ガラス基板２０および下ガラス基板３０上にそれぞれ配置された上位相差板１８−１および下位相差板１８−２と、液晶層２６の外側の上位相差板１８−１および下位相差板１８−２上にそれぞれ配置され、クロスニコル配置の偏光板１６−１および１６−２とを備える。
【００７５】
配向処理によって、一対の透明電極２２、２８間に接する液晶層２６内の液晶に配向方向が付与される。
【００７６】
本発明の第３の実施の形態に係る液晶表示装置において、液晶層２６の厚さｄと液晶層２６のカイラルピッチｐとの比ｄ／ｐは、０．４〜０．８であり、液晶層２６の複屈折率Δｎは、０．１３〜０．０８  であり、液晶層２６の厚さｄは、３．０μｍ〜６．０μｍ  であることを特徴とする。
【００７７】
また、一対の透明電極２２、２８間に配置される液晶層２６の螺旋状に配向される液晶分子の並び方において、下側の透明電極２２界面の液晶分子の向きから上側の透明電極２８界面の液晶分子の向きとの間のツイスト角は、９０〜２７０°であり、下ガラス基板３０のラビング角θrは、４５°〜１３５°であり、下偏光板１６−２の吸収軸角θＬｐｏｌは、下ガラス基板３０のラビング角θrに対し、４２°〜４８°であり、下側の透明電極２２と液晶層２６との界面に存在する液晶分子のプレチルト角θｐは、下ガラス基板３０表面に対して８０°〜８９°であることを特徴とする。
【００７８】
また、本発明の第３の実施の形態に係る液晶表示装置においては、液晶層２６の厚さｄと液晶層２６のカイラルピッチｐとの比ｄ／ｐは、更に限定的に、０．５〜０．７であってもよい。
【００７９】
また、本発明の第３の実施の形態に係る液晶表示装置においては、液晶層２６の複屈折率Δｎは、更に限定的に、０．１１〜０．０８であってもよい。
【００８０】
また、本発明の第３の実施の形態に係る液晶表示装置においては、液晶層２６の厚さｄは、更に限定的に、４．０〜５．０μｍであってもよい。
【００８１】
また、本発明の第３の実施の形態に係る液晶表示装置においては、ツイスト角は、更に限定的に、１６０〜２００°であってもよい。
【００８２】
また、本発明の第３の実施の形態に係る液晶表示装置においては、下ガラス基板３０のラビング角θrは、更に限定的に、８０°〜１００°であってもよい。
【００８３】
また、本発明の第３の実施の形態に係る液晶表示装置においては、下偏光板１６−２の吸収軸角θＬｐｏｌが、下ガラス基板３０のラビング角θrに対し、更に限定的に、４４°〜４６°であってもよい。
【００８４】
また、本発明の第３の実施の形態に係る液晶表示装置においては、プレチルト角θｐは、更に限定的に、下ガラス基板３０表面に対して８６°〜８９°であってもよい。
【００８５】
（臨界点における特性への影響）
本発明の第３の実施の形態に係る液晶表示装置において、液晶層２６の厚さｄと液晶層２６のカイラルピッチｐとの比ｄ／ｐは、０．５を代表値とするが、比ｄ／ｐの値が０．４よりも小さい場合には、視野角が狭くなり、また０．８よりも大きい場合には、液晶の配向が乱れることが確認されている。
【００８６】
本発明の第３の実施の形態に係る液晶表示装置において、液晶層２６の複屈折率Δｎは、０．１１を代表値とするが、Δｎの値が０．０８よりも小さい場合には、コントラストが低下し、０．１３よりも大きい場合には、コントラストが低下し、かつ着色が見られることが確認されている。
【００８７】
本発明の第３の実施の形態に係る液晶表示装置において、液晶層２６の厚さｄは、５μｍを代表値とするが、ｄの値が３μｍよりも小さい場合には、コントラストが低下することが確認されている。また、プロセス上の困難性も明らかである。一方、ｄの値が６μｍよりも大きい場合には、応答速度が遅くなり、かつ着色が見られることが確認されている。
【００８８】
本発明の第３の実施の形態に係る液晶表示装置において、ツイスト角は、１８０°を代表値とするが、ツイスト角の値が９０°よりも小さい場合には、視野角が狭くなり、また２７０°よりも大きい場合には、液晶の配向が乱れることが確認されている。
【００８９】
本発明の第３の実施の形態に係る液晶表示装置において、下ガラス基板３０のラビング角θrは、９０°を代表値とするが、４５°よりも小さい場合には、視角方向が変化し、また、１３５°よりも大きい場合においても、視角方向が変化することが確認されている。
【００９０】
本発明の第３の実施の形態に係る液晶表示装置において、下偏光板の吸収軸角θＬｐｏｌは、４５°を代表値とするが、４２°よりも小さい場合には、遮光性が低下し、また、４８°よりも大きい場合にも、遮光性が低下することが確認されている。
【００９１】
本発明の第３の実施の形態に係る液晶表示装置において、プレチルト角θｐは、８９°を代表値とするが、８０°よりも小さい場合には、遮光性が低下し、８９°よりも大きい場合には、電圧印加時の液晶の配向が乱れることが確認されている。
【００９２】
本発明の第３の実施の形態に係る液晶表示装置においては、図８に示すように、下側の透明電極２２が分割されセグメント化されたＩＴＯ膜などの透明電極（ＳＥＧ  ＩＴＯ）として形成され、一方、上側の透明電極２８は、共通のＩＴＯ膜などの透明電極（ＣＯＭ  ＩＴＯ）として形成されている。
【００９３】
また、本発明の第３の実施の形態に係る液晶表示装置においては、図８に示すように、下ガラス基板３０の上面にもセグメント化された透明電極２２が配置され、透明電極２２の一部は、ＦＰＣ１０に接続されている。ドライバＩＣチップ１２は、ＦＰＣ１２上に配置され、ＣＯＦ（Ｃｈｉｐ  Ｏｎ  Ｆｉｌｍ）構造或いはＴＡＢ（Ｔａｐｅ Ａｕｔｏｍａｔｅｄ Ｂｏｎｄｉｎｇ）構造が形成されている。
【００９４】
また、本発明の第３の実施の形態に係る液晶表示装置においては、図８に示すように、スペーサ１４によって、液晶層２６、配向膜２４、および透明電極２２および２８からなる積層構造が封止されている。
【００９５】
本発明の第３の実施の形態に係る液晶表示装置においても、第１の実施の形態と同様に、コントラストの視角特性は、比較例に比べて向上する。また、第１の実施の形態と同様に、暗状態における色（見た目）の視角特性も、比較例に比べて向上する。
【００９６】
本発明の第３の実施の形態に係る液晶表示装置によれば、垂直配向型で、低コストでコントラスト比、及びその視角特性ならびに、色の視角特性などの表示品位が優れた液晶表示を得ることができる。
【００９７】
[第４の実施の形態]
本発明の第４の実施の形態に係る液晶表示装置の模式的断面構造は、図９に示すように、配向処理された配向膜２４を表面に有し、所定間隔で互いに対向配置された一対の透明電極２８、２２と、一対の透明電極２８、２２間に配置される液晶層２６と、液晶層２６の外側の透明電極２８、２２上にそれぞれ配置された上ガラス基板２０および下ガラス基板３０と、液晶層２６の外側の上ガラス基板２０および下ガラス基板３０上にそれぞれ配置された上位相差板１８−１および下位相差板１８−２と、液晶層２６の外側の上位相差板１８−１および下位相差板１８−２上にそれぞれ配置され、クロスニコル配置の偏光板１６−１および１６−２とを備える。
【００９８】
配向処理によって、一対の透明電極２２、２８間に接する液晶層２６内の液晶に配向方向が付与される。
【００９９】
本発明の第４の実施の形態に係る液晶表示装置において、液晶層２６の厚さｄと液晶層２６のカイラルピッチｐとの比ｄ／ｐは、０．４〜０．８であり、液晶層２６の複屈折率Δｎは、０．１３〜０．０８  であり、液晶層２６の厚さｄは、３．０μｍ〜６．０μｍ  であることを特徴とする。
【０１００】
また、一対の透明電極２２、２８間に配置される液晶層２６の螺旋状に配向される液晶分子の並び方において、下側の透明電極２２界面の液晶分子の向きから上側の透明電極２８界面の液晶分子の向きとの間のツイスト角は、９０〜２７０°であり、下ガラス基板３０のラビング角θrは、４５°〜１３５°であり、下偏光板１６−２の吸収軸角θＬｐｏｌは、下ガラス基板３０のラビング角θrに対し、４２°〜４８°であり、下側の透明電極２２と液晶層２６との界面に存在する液晶分子のプレチルト角θｐは、下ガラス基板３０面に対して８０°〜８９°であることを特徴とする。
【０１０１】
また、本発明の第４の実施の形態に係る液晶表示装置においては、液晶層２６の厚さｄと液晶層２６のカイラルピッチｐとの比ｄ／ｐは、更に限定的に、０．５〜０．７であってもよい。
【０１０２】
また、本発明の第４の実施の形態に係る液晶表示装置においては、液晶層２６の複屈折率Δｎは、更に限定的に、０．１１〜０．０８であってもよい。
【０１０３】
また、本発明の第４の実施の形態に係る液晶表示装置においては、液晶層２６の厚さｄは、更に限定的に、４．０〜５．０μｍであってもよい。
【０１０４】
また、本発明の第４の実施の形態に係る液晶表示装置においては、ツイスト角は、更に限定的に、１６０〜２００°であってもよい。
【０１０５】
また、本発明の第４の実施の形態に係る液晶表示装置においては、下ガラス基板３０のラビング角θrは、更に限定的に、８０°〜１００°であってもよい。
【０１０６】
また、本発明の第４の実施の形態に係る液晶表示装置においては、下偏光板１６−２の吸収軸角θＬｐｏｌが、下ガラス基板３０のラビング角θrに対し、更に限定的に、４４°〜４６°であってもよい。
【０１０７】
また、本発明の第４の実施の形態に係る液晶表示装置においては、プレチルト角θｐは、更に限定的に、下ガラス基板３０表面に対して８６°〜８９°であってもよい。
【０１０８】
（臨界点における特性への影響）
本発明の第４の実施の形態に係る液晶表示装置において、液晶層２６の厚さｄと液晶層２６のカイラルピッチｐとの比ｄ／ｐは、０．５を代表値とするが、比ｄ／ｐの値が０．４よりも小さい場合には、視野角が狭くなり、また０．８よりも大きい場合には、液晶の配向が乱れることが確認されている。
【０１０９】
本発明の第４の実施の形態に係る液晶表示装置において、液晶層２６の複屈折率Δｎは、０．１１を代表値とするが、Δｎの値が０．０８よりも小さい場合には、コントラストが低下し、０．１３よりも大きい場合には、コントラストが低下し、かつ着色が見られることが確認されている。
【０１１０】
本発明の第４の実施の形態に係る液晶表示装置において、液晶層２６の厚さｄは、５μｍを代表値とするが、ｄの値が３μｍよりも小さい場合には、コントラストが低下することが確認されている。また、プロセス上の困難性も明らかである。一方、ｄの値が６μｍよりも大きい場合には、応答速度が遅くなり、かつ着色が見られることが確認されている。
【０１１１】
本発明の第４の実施の形態に係る液晶表示装置において、ツイスト角は、１８０°を代表値とするが、ツイスト角の値が９０°よりも小さい場合には、視野角が狭くなり、また２７０°よりも大きい場合には、液晶の配向が乱れることが確認されている。
【０１１２】
本発明の第４の実施の形態に係る液晶表示装置において、下ガラス基板３０のラビング角θrは、９０°を代表値とするが、４５°よりも小さい場合には、視角方向が変化し、また、１３５°よりも大きい場合においても、視角方向が変化することが確認されている。
【０１１３】
本発明の第４の実施の形態に係る液晶表示装置において、下偏光板の吸収軸角θＬｐｏｌは、４５°を代表値とするが、４２°よりも小さい場合には、遮光性が低下し、また、４８°よりも大きい場合にも、遮光性が低下することが確認されている。
【０１１４】
本発明の第４の実施の形態に係る液晶表示装置において、プレチルト角θｐは、８９°を代表値とするが、８０°よりも小さい場合には、遮光性が低下し、８９°よりも大きい場合には、電圧印加時の液晶の配向が乱れることが確認されている。
【０１１５】
本発明の第４の実施の形態に係る液晶表示装置においては、図９に示すように、下側の透明電極２２が分割されセグメント化されたＩＴＯ膜などの透明電極（ＳＥＧ  ＩＴＯ）として形成され、一方、上側の透明電極２８は、共通のＩＴＯ膜などの透明電極（ＣＯＭ  ＩＴＯ）として形成されている。
【０１１６】
また、本発明の第４の実施の形態に係る液晶表示装置においては、図９に示すように、下ガラス基板３０の上面にもセグメント化された透明電極２２が配置され、さらにセグメント化された透明電極２２に跨って、ドライバＩＣチップ１２がＣＯＧ構造で配置され、ドライバＩＣチップ１２が接続された透明電極２２の一方は、リードピン３２に接続されている。
【０１１７】
また、本発明の第４の実施の形態に係る液晶表示装置においては、図９に示すように、スペーサ１４によって、液晶層２６、配向膜２４、および透明電極２２および２８からなる積層構造が封止されている。
【０１１８】
本発明の第４の実施の形態に係る液晶表示装置においても、第１の実施の形態と同様に、コントラストの視角特性は、比較例に比べて向上する。また、第１の実施の形態と同様に、暗状態における色（見た目）の視角特性も、比較例に比べて向上する。
【０１１９】
本発明の第４の実施の形態に係る液晶表示装置によれば、垂直配向型で、低コストでコントラスト比、及びその視角特性ならびに、色の視角特性などの表示品位が優れた液晶表示を得ることができる。
【０１２０】
[第５の実施の形態]
本発明の第５の実施の形態に係る液晶表示装置の模式的断面構造は、図１０に示すように、配向処理された配向膜２４を表面に有し、所定間隔で互いに対向配置された一対の透明電極２８、２２と、一対の透明電極２８、２２間に配置される液晶層２６と、液晶層２６の外側の透明電極２８、２２上にそれぞれ配置された上ガラス基板２０および下ガラス基板３０と、液晶層２６の外側の上ガラス基板２０および下ガラス基板３０上にそれぞれ配置された上位相差板１８−１および下位相差板１８−２と、液晶層２６の外側の上位相差板１８−１および下位相差板１８−２上にそれぞれ配置され、クロスニコル配置の偏光板１６−１および１６−２とを備える。
【０１２１】
配向処理によって、一対の透明電極２２、２８間に接する液晶層２６内の液晶に配向方向が付与される。
【０１２２】
本発明の第５の実施の形態に係る液晶表示装置において、液晶層２６の厚さｄと液晶層２６のカイラルピッチｐとの比ｄ／ｐは、０．４〜０．８であり、液晶層２６の複屈折率Δｎは、０．１３〜０．０８であり、液晶層２６の厚さｄは、３．０μｍ〜６．０μｍであることを特徴とする。
【０１２３】
また、一対の透明電極２２、２８間に配置される液晶層２６の螺旋状に配向される液晶分子の並び方において、下側の透明電極２２界面の液晶分子の向きから上側の透明電極２８界面の液晶分子の向きとの間のツイスト角は、９０〜２７０°であり、下ガラス基板３０のラビング角θrは、４５°〜１３５°であり、下偏光板１６−２の吸収軸角θＬｐｏｌは、下ガラス基板３０のラビング角θrに対し、４２°〜４８°であり、下側の透明電極２２と液晶層２６との界面に存在する液晶分子のプレチルト角θｐは、下ガラス基板３０面に対して８０°〜８９°であることを特徴とする。
【０１２４】
また、本発明の第５の実施の形態に係る液晶表示装置においては、液晶層２６の厚さｄと液晶層２６のカイラルピッチｐとの比ｄ／ｐは、更に限定的に、０．５〜０．７であってもよい。
【０１２５】
また、本発明の第５の実施の形態に係る液晶表示装置においては、液晶層２６の複屈折率Δｎは、更に限定的に、０．１１〜０．０８であってもよい。
【０１２６】
また、本発明の第５の実施の形態に係る液晶表示装置においては、液晶層２６の厚さｄは、更に限定的に、４．０〜５．０μｍであってもよい。
【０１２７】
また、本発明の第５の実施の形態に係る液晶表示装置においては、ツイスト角は、更に限定的に、１６０〜２００°であってもよい。
【０１２８】
また、本発明の第５の実施の形態に係る液晶表示装置においては、下ガラス基板３０のラビング角θrは、更に限定的に、８０°〜１００°であってもよい。
【０１２９】
また、本発明の第５の実施の形態に係る液晶表示装置においては、下偏光板１６−２の吸収軸角θＬｐｏｌが、下ガラス基板３０のラビング角θrに対し、更に限定的に、４４°〜４６°であってもよい。
【０１３０】
また、本発明の第５の実施の形態に係る液晶表示装置においては、プレチルト角θｐは、更に限定的に、下ガラス基板３０表面に対して８６°〜８９°であってもよい。
【０１３１】
（臨界点における特性への影響）
本発明の第５の実施の形態に係る液晶表示装置において、液晶層２６の厚さｄと液晶層２６のカイラルピッチｐとの比ｄ／ｐは、０．５を代表値とするが、比ｄ／ｐの値が０．４よりも小さい場合には、視野角が狭くなり、また０．８よりも大きい場合には、液晶の配向が乱れることが確認されている。
【０１３２】
本発明の第５の実施の形態に係る液晶表示装置において、液晶層２６の複屈折率Δｎは、０．１１を代表値とするが、Δｎの値が０．０８よりも小さい場合には、コントラストが低下し、０．１３よりも大きい場合には、コントラストが低下し、かつ着色が見られることが確認されている。
【０１３３】
本発明の第５の実施の形態に係る液晶表示装置において、液晶層２６の厚さｄは、５μｍを代表値とするが、ｄの値が３μｍよりも小さい場合には、コントラストが低下することが確認されている。また、プロセス上の困難性も明らかである。一方、ｄの値が６μｍよりも大きい場合には、応答速度が遅くなり、かつ着色が見られることが確認されている。
【０１３４】
本発明の第５の実施の形態に係る液晶表示装置において、ツイスト角は、１８０°を代表値とするが、ツイスト角の値が９０°よりも小さい場合には、視野角が狭くなり、また２７０°よりも大きい場合には、液晶の配向が乱れることが確認されている。
【０１３５】
本発明の第５の実施の形態に係る液晶表示装置において、下ガラス基板３０のラビング角θrは、９０°を代表値とするが、４５°よりも小さい場合には、視角方向が変化し、また、１３５°よりも大きい場合においても、視角方向が変化することが確認されている。
【０１３６】
本発明の第５の実施の形態に係る液晶表示装置において、下偏光板の吸収軸角θＬｐｏｌは、４５°を代表値とするが、４２°よりも小さい場合には、遮光性が低下し、また、４８°よりも大きい場合にも、遮光性が低下することが確認されている。
【０１３７】
本発明の第５の実施の形態に係る液晶表示装置において、プレチルト角θｐは、８９°を代表値とするが、８０°よりも小さい場合には、遮光性が低下し、８９°よりも大きい場合には、電圧印加時の液晶の配向が乱れることが確認されている。
【０１３８】
本発明の第５の実施の形態に係る液晶表示装置においては、図１０に示すように、下側の透明電極２２が分割されセグメント化されたＩＴＯ膜などの透明電極（ＳＥＧ  ＩＴＯ）として形成され、一方、上側の透明電極２８は、共通のＩＴＯ膜などの透明電極（ＣＯＭ  ＩＴＯ）として形成されている。
【０１３９】
また、本発明の第５の実施の形態に係る液晶表示装置においては、図１０に示すように、下ガラス基板３０の上面に配置された透明電極２２の一部は、リードピン３２に接続されている。
【０１４０】
また、本発明の第４の実施の形態に係る液晶表示装置においては、図１０に示すように、スペーサ１４によって、液晶層２６、配向膜２４、および透明電極２２および２８からなる積層構造が封止されている。
【０１４１】
本発明の第５の実施の形態に係る液晶表示装置においても、第１の実施の形態と同様に、コントラストの視角特性は、比較例に比べて向上する。また、第１の実施の形態と同様に、暗状態における色（見た目）の視角特性も、比較例に比べて向上する。
【０１４２】
本発明の第５の実施の形態に係る液晶表示装置によれば、垂直配向型で、低コストでコントラスト比、及びその視角特性ならびに、色の視角特性などの表示品位が優れた液晶表示を得ることができる。
【０１４３】
[第６の実施の形態]
本発明の第６の実施の形態に係る液晶表示装置の模式的断面構造は、図１１に示すように、配向処理された配向膜２４を表面に有し、所定間隔で互いに対向配置された一対の透明電極２８、２２と、一対の透明電極２８、２２間に配置される液晶層２６と、液晶層２６の外側の透明電極２８、２２上にそれぞれ配置された上ガラス基板２０および下ガラス基板３０と、液晶層２６の外側の上ガラス基板２０および下ガラス基板３０上にそれぞれ配置された上位相差板１８−１および下位相差板１８−２と、液晶層２６の外側の上位相差板１８−１および下位相差板１８−２上にそれぞれ配置され、クロスニコル配置の偏光板１６−１および１６−２とを備える。
【０１４４】
配向処理によって、一対の透明電極２２、２８間に接する液晶層２６内の液晶に配向方向が付与される。
【０１４５】
本発明の第６の実施の形態に係る液晶表示装置において、液晶層２６の厚さｄと液晶層２６のカイラルピッチｐとの比ｄ／ｐは、０．４〜０．８であり、液晶層２６の複屈折率Δｎは、０．１３〜０．０８であり、液晶層２６の厚さｄは、３．０μｍ〜６．０μｍであることを特徴とする。
【０１４６】
また、一対の透明電極２２、２８間に配置される液晶層２６の螺旋状に配向される液晶分子の並び方において、下側の透明電極２２界面の液晶分子の向きから上側の透明電極２８界面の液晶分子の向きとの間のツイスト角は、９０〜２７０°であり、下ガラス基板３０のラビング角θrは、４５°〜１３５°であり、下偏光板１６−２の吸収軸角θＬｐｏｌは、下ガラス基板３０のラビング角θrに対し、４２°〜４８°であり、下側の透明電極２２と液晶層２６との界面に存在する液晶分子のプレチルト角θｐは、下ガラス基板３０面に対して８０°〜８９°であることを特徴とする。
【０１４７】
また、本発明の第６の実施の形態に係る液晶表示装置においては、液晶層２６の厚さｄと液晶層２６のカイラルピッチｐとの比ｄ／ｐは、更に限定的に、０．５〜０．７であってもよい。
【０１４８】
また、本発明の第６の実施の形態に係る液晶表示装置においては、液晶層２６の複屈折率Δｎは、更に限定的に、０．１１〜０．０８であってもよい。
【０１４９】
また、本発明の第６の実施の形態に係る液晶表示装置においては、液晶層２６の厚さｄは、更に限定的に、４．０〜５．０μｍであってもよい。
【０１５０】
また、本発明の第６の実施の形態に係る液晶表示装置においては、ツイスト角は、更に限定的に、１６０〜２００°であってもよい。
【０１５１】
また、本発明の第６の実施の形態に係る液晶表示装置においては、下ガラス基板３０のラビング角θrは、更に限定的に、８０°〜１００°であってもよい。
【０１５２】
また、本発明の第６の実施の形態に係る液晶表示装置においては、下偏光板１６−２の吸収軸角θＬｐｏｌが、下ガラス基板３０のラビング角θrに対し、更に限定的に、４４°〜４６°であってもよい。
【０１５３】
また、本発明の第６の実施の形態に係る液晶表示装置においては、プレチルト角θｐは、更に限定的に、下ガラス基板３０表面に対して８６°〜８９°であってもよい。
【０１５４】
（臨界点における特性への影響）
本発明の第６の実施の形態に係る液晶表示装置において、液晶層２６の厚さｄと液晶層２６のカイラルピッチｐとの比ｄ／ｐは、０．５を代表値とするが、比ｄ／ｐの値が０．４よりも小さい場合には、視野角が狭くなり、また０．８よりも大きい場合には、液晶の配向が乱れることが確認されている。
【０１５５】
本発明の第６の実施の形態に係る液晶表示装置において、液晶層２６の複屈折率Δｎは、０．１１を代表値とするが、Δｎの値が０．０８よりも小さい場合には、コントラストが低下し、０．１３よりも大きい場合には、コントラストが低下し、かつ着色が見られることが確認されている。
【０１５６】
本発明の第６の実施の形態に係る液晶表示装置において、液晶層２６の厚さｄは、５μｍを代表値とするが、ｄの値が３μｍよりも小さい場合には、コントラストが低下することが確認されている。また、プロセス上の困難性も明らかである。一方、ｄの値が６μｍよりも大きい場合には、応答速度が遅くなり、かつ着色が見られることが確認されている。
【０１５７】
本発明の第６の実施の形態に係る液晶表示装置において、ツイスト角は、１８０°を代表値とするが、ツイスト角の値が９０°よりも小さい場合には、視野角が狭くなり、また２７０°よりも大きい場合には、液晶の配向が乱れることが確認されている。
【０１５８】
本発明の第６の実施の形態に係る液晶表示装置において、下ガラス基板３０のラビング角θrは、９０°を代表値とするが、４５°よりも小さい場合には、視角方向が変化し、また、１３５°よりも大きい場合においても、視角方向が変化することが確認されている。
【０１５９】
本発明の第６の実施の形態に係る液晶表示装置において、下偏光板の吸収軸角θＬｐｏｌは、４５°を代表値とするが、４２°よりも小さい場合には、遮光性が低下し、また、４８°よりも大きい場合にも、遮光性が低下することが確認されている。
【０１６０】
本発明の第６の実施の形態に係る液晶表示装置において、プレチルト角θｐは、８９°を代表値とするが、８０°よりも小さい場合には、遮光性が低下し、８９°よりも大きい場合には、電圧印加時の液晶の配向が乱れることが確認されている。
【０１６１】
本発明の第６の実施の形態に係る液晶表示装置においては、図１１に示すように、下側の透明電極２２が分割されセグメント化されたＩＴＯ膜などの透明電極（ＳＥＧ  ＩＴＯ）として形成され、一方、上側の透明電極２８は、共通のＩＴＯ膜などの透明電極（ＣＯＭ  ＩＴＯ）として形成されている。
【０１６２】
また、本発明の第６の実施の形態に係る液晶表示装置においては、図１１に示すように、下ガラス基板３０の上面に配置された透明電極２２の一部は、リードピン、ＦＰＣ或いはＩＣチップなどには接続されていない。
【０１６３】
また、本発明の第６の実施の形態に係る液晶表示装置においては、図１１に示すように、スペーサ１４によって、液晶層２６、配向膜２４、および透明電極２２および２８からなる積層構造が封止されている。
【０１６４】
本発明の第６の実施の形態に係る液晶表示装置においても、第１の実施の形態と同様に、コントラストの視角特性は、比較例に比べて向上する。また、第１の実施の形態と同様に、暗状態における色（見た目）の視角特性も、比較例に比べて向上する。
【０１６５】
本発明の第６の実施の形態に係る液晶表示装置によれば、垂直配向型で、低コストでコントラスト比、及びその視角特性ならびに、色の視角特性などの表示品位が優れた液晶表示を得ることができる。
【０１６６】
[第７の実施の形態]
本発明の第７の実施の形態に係る液晶表示装置の模式的断面構造は、図１２に示すように、配向処理された配向膜２４を表面に有し、所定間隔で互いに対向配置された一対の透明電極２８、２２と、一対の透明電極２８、２２間に配置される液晶層２６と、液晶層２６の外側の透明電極２８、２２上にそれぞれ配置された上ガラス基板２０および下ガラス基板３０と、液晶層２６の外側の上ガラス基板２０および下ガラス基板３０上にそれぞれ配置された上位相差板１８−１および下位相差板１８−２と、液晶層２６の外側の上位相差板１８−１および下位相差板１８−２上にそれぞれ配置され、クロスニコル配置の偏光板１６−１および１６−２とを備える。
【０１６７】
配向処理によって、一対の透明電極２２、２８間に接する液晶層２６内の液晶に配向方向が付与される。
【０１６８】
本発明の第７の実施の形態に係る液晶表示装置において、液晶層２６の厚さｄと液晶層２６のカイラルピッチｐとの比ｄ／ｐは、０．４〜０．８であり、液晶層２６の複屈折率Δｎは、０．１３〜０．０８であり、液晶層２６の厚さｄは、３．０μｍ〜６．０μｍであることを特徴とする。
【０１６９】
また、一対の透明電極２２、２８間に配置される液晶層２６の螺旋状に配向される液晶分子の並び方において、下側の透明電極２２界面の液晶分子の向きから上側の透明電極２８界面の液晶分子の向きとの間のツイスト角は、９０〜２７０°であり、下ガラス基板３０のラビング角θrは、４５°〜１３５°であり、下偏光板１６−２の吸収軸角θＬｐｏｌは、下ガラス基板３０のラビング角θrに対し、４２°〜４８°であり、下側の透明電極２２と液晶層２６との界面に存在する液晶分子のプレチルト角θｐは、下ガラス基板３０面に対して８０°〜８９°であることを特徴とする。
【０１７０】
また、本発明の第７の実施の形態に係る液晶表示装置においては、液晶層２６の厚さｄと液晶層２６のカイラルピッチｐとの比ｄ／ｐは、更に限定的に、０．５〜０．７であってもよい。
【０１７１】
また、本発明の第７の実施の形態に係る液晶表示装置においては、液晶層２６の複屈折率Δｎは、更に限定的に、０．１１〜０．０８であってもよい。
【０１７２】
また、本発明の第７の実施の形態に係る液晶表示装置においては、液晶層２６の厚さｄは、更に限定的に、４．０〜５．０μｍであってもよい。
【０１７３】
また、本発明の第７の実施の形態に係る液晶表示装置においては、ツイスト角は、更に限定的に、１６０〜２００°であってもよい。
【０１７４】
また、本発明の第７の実施の形態に係る液晶表示装置においては、下ガラス基板３０のラビング角θrは、更に限定的に、８０°〜１００°であってもよい。
【０１７５】
また、本発明の第７の実施の形態に係る液晶表示装置においては、下偏光板１６−２の吸収軸角θＬｐｏｌが、下ガラス基板３０のラビング角θrに対し、更に限定的に、４４°〜４６°であってもよい。
【０１７６】
また、本発明の第７の実施の形態に係る液晶表示装置においては、プレチルト角θｐは、更に限定的に、下ガラス基板３０表面に対して８６°〜８９°であってもよい。
【０１７７】
（臨界点における特性への影響）
本発明の第７の実施の形態に係る液晶表示装置において、液晶層２６の厚さｄと液晶層２６のカイラルピッチｐとの比ｄ／ｐは、０．５を代表値とするが、比ｄ／ｐの値が０．４よりも小さい場合には、視野角が狭くなり、また０．８よりも大きい場合には、液晶の配向が乱れることが確認されている。
【０１７８】
本発明の第７の実施の形態に係る液晶表示装置において、液晶層２６の複屈折率Δｎは、０．１１を代表値とするが、Δｎの値が０．０８よりも小さい場合には、コントラストが低下し、０．１３よりも大きい場合には、コントラストが低下し、かつ着色が見られることが確認されている。
【０１７９】
本発明の第７の実施の形態に係る液晶表示装置において、液晶層２６の厚さｄは、５μｍを代表値とするが、ｄの値が３μｍよりも小さい場合には、コントラストが低下することが確認されている。また、プロセス上の困難性も明らかである。一方、ｄの値が６μｍよりも大きい場合には、応答速度が遅くなり、かつ着色が見られることが確認されている。
【０１８０】
本発明の第７の実施の形態に係る液晶表示装置において、ツイスト角は、１８０°を代表値とするが、ツイスト角の値が９０°よりも小さい場合には、視野角が狭くなり、また２７０°よりも大きい場合には、液晶の配向が乱れることが確認されている。
【０１８１】
本発明の第７の実施の形態に係る液晶表示装置において、下ガラス基板３０のラビング角θrは、９０°を代表値とするが、４５°よりも小さい場合には、視角方向が変化し、また、１３５°よりも大きい場合においても、視角方向が変化することが確認されている。
【０１８２】
本発明の第７の実施の形態に係る液晶表示装置において、下偏光板の吸収軸角θＬｐｏｌは、４５°を代表値とするが、４２°よりも小さい場合には、遮光性が低下し、また、４８°よりも大きい場合にも、遮光性が低下することが確認されている。
【０１８３】
本発明の第７の実施の形態に係る液晶表示装置において、プレチルト角θｐは、８９°を代表値とするが、８０°よりも小さい場合には、遮光性が低下し、８９°よりも大きい場合には、電圧印加時の液晶の配向が乱れることが確認されている。
【０１８４】
本発明の第７の実施の形態に係る液晶表示装置においては、図１２に示すように、下側の透明電極２２が分割されセグメント化されたＩＴＯ膜などの透明電極（ＳＥＧ  ＩＴＯ）として形成され、一方、上側の透明電極２８は、共通のＩＴＯ膜などの透明電極（ＣＯＭ  ＩＴＯ）として形成されている。
【０１８５】
また、本発明の第７の実施の形態に係る液晶表示装置においては、図１２に示すように、下ガラス基板３０の上面にもセグメント化された透明電極２２が配置され、さらにセグメント化された透明電極２２に跨って、ドライバＩＣチップ１２がＣＯＧ構造で配置され、ドライバＩＣチップ１２が接続された透明電極２２の一方は、ＦＰＣ１０に接続されている。
【０１８６】
また、本発明の第７の実施の形態に係る液晶表示装置においては、図１２に示すように、バックライト３４によって、光量を確保している。
【０１８７】
また、本発明の第７の実施の形態に係る液晶表示装置においては、図１２に示すように、スペーサ１４によって、液晶層２６、配向膜２４、および透明電極２２および２８からなる積層構造が封止されている。
【０１８８】
本発明の第７の実施の形態に係る液晶表示装置においても、第１の実施の形態と同様に、コントラストの視角特性は、比較例に比べて向上する。また、第１の実施の形態と同様に、暗状態における色（見た目）の視角特性も、比較例に比べて向上する。
【０１８９】
本発明の第７の実施の形態に係る液晶表示装置によれば、垂直配向型で、低コストでコントラスト比、及びその視角特性ならびに、色の視角特性などの表示品位が優れた液晶表示を得ることができる。
【０１９０】
[その他の実施の形態]
上記のように、本発明は第１乃至第７の実施の形態によって記載したが、この開示の一部をなす論述および図面はこの発明を限定するものであると理解すべきではない。この開示から当業者には様々な代替実施の形態、実施例および運用技術が明らかとなろう。
【０１９１】
このように、本発明はここでは記載していない様々な実施の形態などを含むことは勿論である。したがって、本発明の技術的範囲は上記の説明から妥当な特許請求の範囲に係る発明特定事項によってのみ定められるものである。
【産業上の利用可能性】
【０１９２】
本発明の実施の形態に係る液晶表示装置は、車載向けオーディオ、エアコン制御表示パネル、インスツルメントパネル、ＤＶＤプレーヤ、音楽プレーヤなどの表示、炊飯器や電子レンジなどの白物家電用ディスプレイなどの幅広い分野に適用可能である。
【図面の簡単な説明】
【０１９３】
【図１】本発明の第１の実施の形態に係る液晶表示装置の模式的構成図。
【図２】本発明の第１の実施の形態に係る液晶表示装置と比較例に係る液晶表示装置との間の各パラメータ値の比較。
【図３】本発明の第１の実施の形態に係る液晶表示装置において、（ａ）コントラスト視角特性例、（ｂ）暗状態の色視角特性例。
【図４】本発明の比較例に係る液晶表示装置において、（ａ）コントラスト視角特性例、（ｂ）暗状態の色視角特性例。
【図５】本発明の第１の実施の形態に係る液晶表示装置の表示例であって、（ａ）左側からの見たときの表示例、（ｂ）正面からの見たときの表示例、（ｃ）右側からの見たときの表示例、および、本発明の比較例に係る液晶表示装置の表示例であって、（ｄ）左側からの見たときの表示例、（ｅ）正面からの見たときの表示例、（ｆ）右側からの見たときの表示例。
【図６】本発明の第１の実施の形態に係る液晶表示装置の模式的断面構造図。
【図７】本発明の第２の実施の形態に係る液晶表示装置の模式的断面構造図。
【図８】本発明の第３の実施の形態に係る液晶表示装置の模式的断面構造図。
【図９】本発明の第４の実施の形態に係る液晶表示装置の模式的断面構造図。
【図１０】本発明の第５の実施の形態に係る液晶表示装置の模式的断面構造図。
【図１１】本発明の第６の実施の形態に係る液晶表示装置の模式的断面構造図。
【図１２】本発明の第７の実施の形態に係る液晶表示装置の模式的断面構造図。
【符号の説明】
【０１９４】
１０…ＦＰＣ
１２…ドライバＩＣチップ
１４…スペーサ
１６−１…上偏光板
１６−２…下偏光板
１８−１…上位相差板
１８−２…下位相差板
２０…上ガラス基板
２２，２８…透明電極
２４…配向膜
２６…液晶層
３０…下ガラス基板
３２…リードピン
３４…バックライト
【図１】
2008275736.tif 000003
【図２】
2008275736.tif 000004
【図３】
2008275736.tif 000005
【図４】
2008275736.tif 000006
【図５】
2008275736.tif 000007
【図６】
2008275736.tif 000008
【図７】
2008275736.tif 000009
【図８】
2008275736.tif 000010
【図９】
2008275736.tif 000011
【図１０】
2008275736.tif 000012
【図１１】
2008275736.tif 000013
【図１２】
2008275736.tif 000014